(57)【要約】【課題】  研削性能が高く、摩耗しにくく、かつコストの低廉な平面研削盤用砥石、及び平面研削方法を提供する。【解決手段】  略円盤状に形成された基盤部材１０Ａの軸中心線Ａの方向の一端面の上に、軸中心線Ａを中心とする円である砥材配置線Ｌ１に沿って所定間隔を配して要素砥材１２Ａが複数個接着によって１列に並設された平面研削盤用砥石１Ａとし、要素砥材１２Ａは、砥材配置線Ｌ１上に中心を持つ略円環状となるようにしたため、基盤部材１Ａを回転した場合に回転の方向に尖った部分が無く、回転方向の先頭部が略Ｕ字状のなめらかな曲面となるため、研削性能を高めることができ、かつ要素砥材１２Ａの摩耗は少ない。また、要素砥材１２Ａを接着により取り付けているため、製作コストが低廉となる。【選択図】        図１
2005279893.tif 000002
【特許請求の範囲】
【請求項１】
略円盤状に形成された基盤部材の軸中心線方向の一端面の上に、前記軸中心線を中心とする円である砥材配置線に沿って所定間隔を配して要素砥材が複数個接着によって並設された砥材列が１又は複数設けられた平面研削盤用砥石であって、
前記要素砥材は、前記砥材配置線上に中心を持つ略円環状又は略円筒状又は略楕円環状若しくは略楕円筒状の一部又は全部から構成されること
を特徴とする平面研削盤用砥石。
【請求項２】
請求項１記載の平面研削盤用砥石において、
前記要素砥材の中央の凹部の位置となる前記基盤部材には、研削された被研削部材粉と研削用液体を外部へ排出する給排孔が形成されること
を特徴とする平面研削盤用砥石。
【請求項３】
請求項１記載の平面研削盤用砥石において、
前記要素砥材の中央の凹部の位置となる前記基盤部材の表面には、前記軸中心線を中心とする放射状直線の方向に沿った給液溝が形成され、前記研削用液体の供給が図られること
を特徴とする平面研削盤用砥石。
【請求項４】
請求項１記載の平面研削盤用砥石において、
前記要素砥材が、前記略円環状又は略円筒状又は略楕円環状若しくは略楕円筒状の一部の形状をなす場合は、略Ｕ字状をなす部分の底部が前記基盤部材の回転方向における先頭側となるように配置されること
を特徴とする平面研削盤用砥石。
【請求項５】
請求項１記載の平面研削盤用砥石において、
前記要素砥材の中央の凹部の内部となる前記基盤部材の面には、前記要素砥材の凹部内に収容されかつ前記砥材配置線上に中心を持つ略円環状又は略円筒状又は略楕円環状若しくは略楕円筒状の一部又は全部から構成される中子砥材が設置されること
を特徴とする平面研削盤用砥石。
【請求項６】
略円盤状に形成された基盤部材の軸中心線方向の一端面の上に、前記軸中心線を中心とする円である砥材配置線に沿って所定間隔を配して要素砥材が複数個接着によって並設された砥材列が１又は複数設けられた平面研削盤用砥石であって、前記要素砥材が、前記砥材配置線上に中心を持つ略円環状又は略円筒状又は略楕円環状若しくは略楕円筒状の一部又は全部から構成される平面研削盤用砥石を用い、被研削部材の一面を平面状に研削することを特徴とする平面研削方法。
【発明の詳細な説明】
【技術分野】
【０００１】
本発明は、各種の被研削部材の一面を平面状に研削する平面研削盤用砥石、及び平面研削方法に関するものである。
【背景技術】
【０００２】
従来、部材（被研削部材）の面（被研削面）を平面状に研削する方法としては、被研削部材を保持用工具により保持するとともに、平面状の表面（砥面）を有する砥石と被研削部材の被研削面を接触させ、砥石を回転させるとともに保持用工具を往復運動させ、被研削部材の被研削面を平面状に研削する平面研削盤による平面研削方法が知られている。このような平面研削に用いられる砥石としては、略円盤状に形成された基盤部材の軸中心線方向の一端面の上に、軸中心線を中心とする円である砥材配置線に沿って砥粒層が円周線状に連続して設置された平面研削盤用砥石（以下、「連続型円環砥石」という。）が知られている。また、他の構成の平面研削盤用砥石として、略円盤状に形成された基盤部材の軸中心線方向の一端面の上に、軸中心線を中心とする円である砥材配置線に沿って砥粒層セグメントが円周線状に不連続的に断続して設置された平面研削盤用砥石（以下、「不連続型円環砥石」という。）が知られている（例えば、特許文献１、及び特許文献２を参照）
【０００３】
しかし、上記した不連続型円環砥石では、基盤部材の一端面に円状に不連続設置された略長方形状、又は略台形状、若しくは略樽形状等の平面形状を有する砥粒層セグメントの摩耗が激しく、短期間（例えば約１ヶ月程度）で交換しなければならなかった。また、上記の不連続型円環砥石では、個々の砥粒層セグメントは、ダイヤモンド等の砥粒を金属等と焼結させたメタルボンド砥石などから構成されており、製作コストが高価であった。このため、砥石を短期間で交換することに伴い、平面研削加工のコストが増大する、という問題があった。
【特許文献１】特開平１１−２０７６３４号公報
【特許文献２】特開平１１−２０７６３５号公報
【発明の開示】
【発明が解決しようとする課題】
【０００４】
本発明は上記の問題を解決するためになされたものであり、本発明の解決しようとする課題は、研削性能が高く、摩耗しにくく、かつコストの低廉な平面研削盤用砥石、及び平面研削方法を提供することにある。
【課題を解決するための手段】
【０００５】
上記課題を解決するため、本発明の請求項１に係る平面研削盤用砥石は、略円盤状に形成された基盤部材の軸中心線方向の一端面の上に、前記軸中心線を中心とする円である砥材配置線に沿って所定間隔を配して要素砥材が複数個接着によって並設された砥材列が１又は複数設けられた平面研削盤用砥石であって、
前記要素砥材は、前記砥材配置線上に中心を持つ略円環状又は略円筒状又は略楕円環状若しくは略楕円筒状の一部又は全部から構成されること
を特徴とする。
【０００６】
また、本発明の請求項２に係る平面研削盤用砥石は、請求項１記載の平面研削盤用砥石において、
前記要素砥材の中央の凹部の位置となる前記基盤部材には、研削された被研削部材粉と研削用液体を外部へ排出する給排孔が形成されること
を特徴とする。
【０００７】
また、本発明の請求項３に係る平面研削盤用砥石は、請求項１記載の平面研削盤用砥石において、
前記要素砥材の中央の凹部の位置となる前記基盤部材の表面には、前記軸中心線を中心とする放射状直線の方向に沿った給液溝が形成され、前記研削用液体の供給が図られること
を特徴とする。
【０００８】
また、本発明の請求項４に係る平面研削盤用砥石は、請求項１記載の平面研削盤用砥石において、
前記要素砥材が、前記略円環状又は略円筒状又は略楕円環状若しくは略楕円筒状の一部の形状をなす場合は、略Ｕ字状をなす部分の底部が前記基盤部材の回転方向における先頭側となるように配置されること
を特徴とする。
【０００９】
また、本発明の請求項５に係る平面研削盤用砥石は、請求項１記載の平面研削盤用砥石において、
前記要素砥材の中央の凹部の内部となる前記基盤部材の面には、前記要素砥材の凹部内に収容されかつ前記砥材配置線上に中心を持つ略円環状又は略円筒状又は略楕円環状若しくは略楕円筒状の一部又は全部から構成される中子砥材が設置されること
を特徴とする。
【００１０】
また、本発明の請求項６に係る平面研削方法は、略円盤状に形成された基盤部材の軸中心線方向の一端面の上に、前記軸中心線を中心とする円である砥材配置線に沿って所定間隔を配して要素砥材が複数個接着によって並設された砥材列が１又は複数設けられた平面研削盤用砥石であって、前記要素砥材が、前記砥材配置線上に中心を持つ略円環状又は略円筒状又は略楕円環状若しくは略楕円筒状の一部又は全部から構成される平面研削盤用砥石を用い、被研削部材の一面を平面状に研削することを特徴とする。
【発明の効果】
【００１１】
本発明に係る平面研削盤用砥石は、略円盤状に形成された基盤部材の軸中心線方向の一端面の上に、軸中心線を中心とする円である砥材配置線に沿って所定間隔を配して要素砥材が複数個接着によって並設された砥材列が１又は複数設けられた平面研削盤用砥石とし、要素砥材は、砥材配置線上に中心を持つ略円環状又は略円筒状又は略楕円環状若しくは略楕円筒状の一部又は全部から構成されるようにした。このため、基盤部材を回転した場合に回転の方向に尖った部分が無く、回転方向の先頭部が略Ｕ字状のなめらかな曲面となるため、砥石としての研削性能を高めることができる一方、要素砥材の摩耗は少ない。また、要素砥材を接着により基盤部材に取り付けているため、平面研削盤用砥石の製作コストを低廉な価格とすることができる、という利点を有している。
【発明を実施するための最良の形態】
【００１２】
以下に説明する各実施例は、略円盤状に形成された基盤部材の軸中心線方向の一端面の上に、軸中心線を中心とする円である砥材配置線に沿って所定間隔を配して要素砥材が複数個接着によって並設された砥材列が１又は複数設けられた平面研削盤用砥石とし、要素砥材は、砥材配置線上に中心を持つ略円環状又は略円筒状又は略楕円環状若しくは略楕円筒状の一部又は全部から構成されるようにした例であり、本発明を実現するための構成として最良の形態である。
【実施例１】
【００１３】
以下、本発明の実施例について、図面を参照しながら詳細に説明を行う。図１は、本発明の第１実施例である平面研削盤用砥石を説明する図であり、図１（Ａ）は、平面研削盤用砥石の断面図を、図１（Ｂ）は、図１（Ａ）のフランジ１１Ａ上の要素砥石１２Ａの配置構成を図示した平面図を、それぞれ示している。
【００１４】
図１（Ａ）に示すように、この平面研削盤用砥石１Ａにおいては、金属等からなり略円盤状に形成された基盤部材１０Ａの軸中心線Ａの方向の２つの端面のうちの一端面（図１（Ａ）における下面）の上に、円環状の台部であるフランジ１１Ａが形成されている。また、図１（Ａ）及び図１（Ｂ）に示すように、このフランジ１１Ａの上には、複数の要素砥材１２Ａが１列に並設されている。
【００１５】
この場合、各要素砥材１２Ａは、略円環状に構成されている。また、各要素砥材１２Ａは、その円環の中心点が、砥材配置線Ｌ１の上に位置するようにして並設されている。この砥材配置線Ｌ１は、基盤部材１０Ａの軸中心線Ａを中心とする円となっている。また、砥材配置線Ｌ１上における各要素砥材１２Ａは、隣接する要素砥材１２Ａどうしの間の間隔が一定の距離となるように配置されている。
【００１６】
上記した要素砥材１２Ａの材料としては、メタルボンド砥石が使用可能である。メタルボンド砥石は、鋼を主体とする金属微粒子と、砥石の素材（砥材）の微粒子（砥粒）を混合し、型などに入れて砥石の形状に形成した後に、全体を焼結することにより作製される。また、要素砥材１２Ａの材料としては、レジンボンド砥石が使用可能である。レジンボンド砥石は、砥材微粒子を樹脂（レジン）の結合材で固めることにより作製される。そのほか、要素砥材１２Ａの材料としては、砥材微粒子を、ガラスや陶磁器材料等からなる結合材微粒子と混合し、型などに入れて砥石の形状に形成した後に、全体を焼結することにより作製されるビトリファイドボンド砥石も使用可能である。また、要素砥材１２Ａの材料としては、電着砥石が使用可能である。電着砥石は、種々の形状に加工された金属部材を砥石基体とし、この砥石基体の表面に砥材の微粒子をメッキによって固着させることにより作製される。上記の砥材微粒子（砥粒）としては、ダイヤモンド微粒子、ＣＢＮ（結晶構造がダイヤモンドと同じである立方相窒化硼素：Ｃｕｂｉｃ  Ｂｏｒｏｎ  Ｎｉｔｒｉｄｅ）の微粒子、ＳｉＣ（窒化ケイ素）の微粒子、アルミナ（酸化アルミニウム：Ａｌ2Ｏ3）の微粒子などが使用可能である。
【００１７】
また、上記した要素砥材１２Ａは、フランジ１１Ａの表面に、接着剤により接着されている。接着剤としては、エポキシ樹脂などが使用可能である。
【００１８】
上記のような構成により、この平面研削盤用砥石１Ａの軸中心線Ａに平面研削盤（図示せず）の回転軸（図示せず）などを取り付けて電動モータ等により回転させ、要素砥材１２Ａの下方に接するようにして被研削部材（図示せず）を平面研削盤の保持用工具（図示せず）により保持しつつ往復運動させることにより、被研削部材の被研削面を平面状に研削することができる。この場合、基盤部材１０Ａを回転した場合に、回転の方向の先頭部には略Ｕ字状のなめらかな円状のエッジが向くので、このエッジの効果により、被研削部材を平面研削する研削性能は高い。一方、基盤部材１０Ａを回転した場合に、回転の方向には要素砥材１２Ａの尖った部分が無く、回転方向の先頭部は略Ｕ字状のなめらかな円曲面となるため、要素砥材１２Ａの摩耗は少ない。
【００１９】
図２は、図１に示す第１実施例の平面研削盤用砥石の変化例１Ａ１を示す図である。図２に示すように、円環状の要素砥材１２Ａ１の中央の凹部の位置となるフランジ１１Ａ１には、給排孔１４Ａ１が形成されている。この給排孔１４Ａ１は、要素砥材１２Ａ１の中央の凹部の位置となるフランジ１１Ａ１の上面と、その位置のフランジ１１Ａ１の内側壁面とを連通する貫通孔である。この給排孔１４Ａ１により、研削された被研削部材の粉と、研削用液体を、フランジ１１Ａ１の内側壁から平面研削盤用砥石１Ａ１の外部へ排出することができる。
【００２０】
また、要素砥材１２Ａ１の中央の凹部の位置となるフランジ１１Ａ１の上面には、研削用液体の供給を図るための給液溝１５Ａ１が形成されている。給液溝１５Ａ１は、給排孔１４Ａ１のフランジ１１Ａ１の上面の開口を挟んで２個設けられ、これらは、軸中心線（図１（Ａ）における符号Ａを参照）を中心とする放射状の直線の方向に沿うように配置されている。研削用液体は、上記した給排孔１４Ａ１から、要素砥材１２Ａ１の中央の凹部の位置に供給され、給液溝１５Ａ１により要素砥材１２Ａ１の内部の各部に行き渡るようになっている。図２に示す第１実施例の平面研削盤用砥石の変化例１Ａ１においては、給排孔１４Ａ１と給液溝１５Ａ１以外の構成と作用は、図１に示す第１実施例とまったく同様である。
【実施例２】
【００２１】
本発明は、上記した実施例以外の構成によっても実現可能である。図３は、本発明の第２実施例である平面研削盤用砥石を説明する図であり、平面研削盤用砥石１Ｂのフランジ１１Ｂ上の要素砥石１２Ｂの配置構成を図示した平面図である。
【００２２】
図３に示すように、この平面研削盤用砥石１Ｂにおいては、金属等からなり略円盤状に形成された基盤部材（図示せず）の軸中心線（図示せず。図１（Ａ）における符号Ａを参照。）の方向の２つの端面のうちの一端面の上に、円環状の台部であるフランジ１１Ｂが形成されている。このフランジ１１Ｂの上には、複数の要素砥材１２Ｂが１列に並設されている。
【００２３】
この場合、各要素砥材１２Ｂは、その平面形状が半円状の環となるように構成されている。また、各要素砥材１２Ｂは、その半円環の中心点が、砥材配置線Ｌ３の上に位置するようにして並設されている。この砥材配置線Ｌ３は、基盤部材の軸中心線を中心とする円となっている。また、砥材配置線Ｌ３上における各要素砥材１２Ｂは、隣接する要素砥材１２Ｂどうしの間の間隔が一定の距離となるように配置されている。
【００２４】
上記した要素砥材１２Ｂの材料としては、第１実施例の場合の材料が使用可能である。  
【００２５】
また、上記した要素砥材１２Ｂは、フランジ１１Ｂの表面に、接着剤により接着されている。接着剤としては、エポキシ樹脂などが使用可能である。
【００２６】
また、略半円環状の要素砥材１２Ｂは、略Ｕ字状をなす部分の底部が、基盤部材の回転方向（図２における符号Ｄ１の方向）における先頭側となるように配置されている。
【００２７】
上記のような構成により、この平面研削盤用砥石１Ｂの軸中心線に平面研削盤（図示せず）の回転軸（図示せず）などを取り付けて電動モータ等により回転させ、要素砥材１２Ｂに接するようにして被研削部材（図示せず）を平面研削盤の保持用工具（図示せず）により保持しつつ往復運動させることにより、被研削部材の被研削面を平面状に研削することができる。この場合、平面研削盤用砥石１Ｂを回転した場合に、回転の方向の先頭部には略Ｕ字状のなめらかな半円状のエッジが向くので、このエッジの効果により、被研削部材を平面研削する研削性能は高い。一方、平面研削盤用砥石１Ｂを回転した場合に、回転の方向には要素砥材１２Ｂの尖った部分が無く、回転方向の先頭部は略Ｕ字状のなめらかな円曲面となるため、要素砥材１２Ｂの摩耗は少ない。
【実施例３】
【００２８】
本発明は、上記した実施例以外の構成によっても実現可能である。図４は、本発明の第３実施例である平面研削盤用砥石を説明する図であり、平面研削盤用砥石１Ｃのフランジ１１Ｃ上の要素砥石１２Ｃ１及び１２Ｃ２の配置構成を図示した平面図である。
【００２９】
図４に示すように、この平面研削盤用砥石１Ｃにおいては、金属等からなり略円盤状に形成された基盤部材（図示せず）の軸中心線（図示せず。図１（Ａ）における符号Ａを参照。）の方向の２つの端面のうちの一端面の上に、円環状の台部であるフランジ１１Ｃが形成されている。このフランジ１１Ｃの上には、複数の要素砥材１２Ｃ１及び１２Ｃ２が並設されている。
【００３０】
この場合、各要素砥材１２Ｃ１及び１２Ｃ２は、略円環状に構成されている。また、小さい方の要素砥材１２Ｃ２は、大きい方の要素砥材１２Ｃ１の凹部内に収容されるようになっている。以下、収容されている要素砥材１２Ｃ２を、「中子砥材」という。また、各要素砥材１２Ｃ１及び１２Ｃ２は、その円環の中心点が、砥材配置線Ｌ４の上に位置するようにして並設されている。この砥材配置線Ｌ４は、基盤部材の軸中心線を中心とする円となっている。また、砥材配置線Ｌ４上における各要素砥材１２Ｃ１は、隣接する要素砥材１２Ｃ１どうしの間の間隔が一定の距離となるように配置されている。また、砥材配置線Ｌ４上における各要素砥材１２Ｃ２は、隣接する要素砥材１２Ｃ２どうしの間の間隔が一定の距離となるように配置されている。図４の例では、要素砥材１２Ｃ２どうしの設置間隔は、要素砥材１２Ｃ１どうしの設置間隔と等しい値となっている。
【００３１】
上記した要素砥材１２Ｃ１又は１２Ｃ２の材料としては、第１実施例の場合の材料が使用可能である。  
【００３２】
また、上記した要素砥材１２Ｃ１又は１２Ｃ２は、フランジ１１Ｃの表面に、接着剤により接着されている。接着剤としては、エポキシ樹脂などが使用可能である。
【００３３】
上記のような構成により、この平面研削盤用砥石１Ｃの軸中心線に平面研削盤（図示せず）の回転軸（図示せず）などを取り付けて電動モータ等により回転させ、要素砥材１２Ｃに接するようにして被研削部材（図示せず）を平面研削盤の保持用工具（図示せず）により保持しつつ往復運動させることにより、被研削部材の被研削面を平面状に研削することができる。この場合、平面研削盤用砥石１Ｃを回転した場合に、回転の方向の先頭部には略Ｕ字状のなめらかな円状のエッジが向くので、このエッジの効果により、被研削部材を平面研削する研削性能は高い。一方、平面研削盤用砥石１Ｃを回転した場合に、回転の方向には要素砥材１２Ｃの尖った部分が無く、回転方向の先頭部は略Ｕ字状のなめらかな円曲面となるため、要素砥材１２Ｃの摩耗は少ない。
【００３４】
この第３実施例において、上記した給排孔１４Ａ１、給液溝１５Ａ１と同様の構成を有する部分を設けてもよい。
【実施例４】
【００３５】
本発明は、上記した実施例以外の構成によっても実現可能である。図５（Ａ）は、本発明の第４実施例である平面研削盤用砥石を説明する図であり、平面研削盤用砥石１Ｄのフランジ１１Ｄ上の要素砥石１２Ｄの配置構成を図示した平面図である。
【００３６】
図５（Ａ）に示すように、この平面研削盤用砥石１Ｄにおいては、金属等からなり略円盤状に形成された基盤部材（図示せず）の軸中心線（図示せず。図１（Ａ）における符号Ａを参照。）の方向の２つの端面のうちの一端面の上に、円環状の台部であるフランジ１１Ｄが形成されている。このフランジ１１Ｄの上には、複数の要素砥材１２Ｄが２列に並設されている。各列を、以下、「砥材列」という。
【００３７】
この場合、各要素砥材１２Ｄは、略円環状に構成されている。各要素砥材１２Ｄは、その円環の中心点が、砥材配置線Ｌ５とＬ６の上に位置するようにして並設されている。この砥材配置線Ｌ５及びＬ６は、基盤部材の軸中心線を中心とする円となっている。また、砥材配置線Ｌ５上における各要素砥材１２Ｄは、隣接する要素砥材１２Ｄどうしの間の間隔が一定の距離となるように配置されている。また、砥材配置線Ｌ６上における各要素砥材１２Ｄは、隣接する要素砥材１２Ｄどうしの間の間隔が一定の距離となるように配置されている。
【００３８】
上記した要素砥材１２Ｄの材料としては、第１実施例の場合の材料が使用可能である。  
【００３９】
また、上記した要素砥材１２Ｄは、フランジ１１Ｄの表面に、接着剤により接着されている。接着剤としては、エポキシ樹脂などが使用可能である。
【００４０】
上記のような構成により、この平面研削盤用砥石１Ｄの軸中心線に平面研削盤（図示せず）の回転軸（図示せず）などを取り付けて電動モータ等により回転させ、要素砥材１２Ｄに接するようにして被研削部材（図示せず）を平面研削盤の保持用工具（図示せず）により保持しつつ往復運動させることにより、被研削部材の被研削面を平面状に研削することができる。この場合、平面研削盤用砥石１Ｄを回転した場合に、回転の方向の先頭部には略Ｕ字状のなめらかな円状のエッジが向くので、このエッジの効果により、被研削部材を平面研削する研削性能は高い。一方、平面研削盤用砥石１Ｄを回転した場合に、回転の方向には要素砥材１２Ｄの尖った部分が無く、回転方向の先頭部は略Ｕ字状のなめらかな円曲面となるため、要素砥材１２Ｄの摩耗は少ない。
【００４１】
この第４実施例において、上記した給排孔１４Ａ１、給液溝１５Ａ１と同様の構成を有する部分を設けてもよい。
【実施例５】
【００４２】
本発明は、上記した実施例以外の構成によっても実現可能である。図５（Ｂ）は、本発明の第５実施例である平面研削盤用砥石を説明する図であり、平面研削盤用砥石１Ｅのフランジ１１Ｅ上の要素砥石１２Ｅの配置構成を図示した平面図である。
【００４３】
図５（Ｂ）に示すように、この平面研削盤用砥石１Ｅにおいては、金属等からなり略円盤状に形成された基盤部材（図示せず）の軸中心線（図示せず。図１（Ａ）における符号Ａを参照。）の方向の２つの端面のうちの一端面の上に、円環状の台部であるフランジ１１Ｅが形成されている。このフランジ１１Ｅの上には、複数の要素砥材１２Ｅが２列に並設されている。各列を、以下、「砥材列」という。
【００４４】
この場合、各要素砥材１２Ｅは、略半円環状に構成されている。各要素砥材１２Ｅは、その半円環の中心点が、砥材配置線Ｌ７とＬ８の上に位置するようにして並設されている。この砥材配置線Ｌ７及びＬ８は、基盤部材の軸中心線を中心とする円となっている。また、砥材配置線Ｌ７上における各要素砥材１２Ｅは、隣接する要素砥材１２Ｅどうしの間の間隔が一定の距離となるように配置されている。また、砥材配置線Ｌ８上における各要素砥材１２Ｅは、隣接する要素砥材１２Ｅどうしの間の間隔が一定の距離となるように配置されている。
【００４５】
上記した要素砥材１２Ｅの材料としては、第１実施例の場合の材料が使用可能である。  
【００４６】
また、上記した要素砥材１２Ｅは、フランジ１１Ｄの表面に、接着剤により接着されている。接着剤としては、エポキシ樹脂などが使用可能である。
【００４７】
また、略半円環状の要素砥材１２Ｅは、略Ｕ字状をなす部分の底部が、基盤部材の回転方向（図５（Ｂ）における符号Ｄ２の方向）における先頭側となるように配置されている。
【００４８】
上記のような構成により、この平面研削盤用砥石１Ｅの軸中心線に平面研削盤（図示せず）の回転軸（図示せず）などを取り付けて電動モータ等により回転させ、要素砥材１２Ｅに接するようにして被研削部材（図示せず）を平面研削盤の保持用工具（図示せず）により保持しつつ往復運動させることにより、被研削部材の被研削面を平面状に研削することができる。この場合、平面研削盤用砥石１Ｅを回転した場合に、回転の方向の先頭部には略Ｕ字状のなめらかな円状のエッジが向くので、このエッジの効果により、被研削部材を平面研削する研削性能は高い。一方、平面研削盤用砥石１Ｅを回転した場合に、回転の方向には要素砥材１２Ｅの尖った部分が無く、回転方向の先頭部は略Ｕ字状のなめらかな円曲面となるため、要素砥材１２Ｅの摩耗は少ない。
【００４９】
なお、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【００５０】
例えば、本発明の要素砥材は、上記した略円環状、略半円環状のほか、略円筒状、略半円筒状であってもよい。また、断面形状が半円以外に、円の４分の１の円弧、円の６分の１の円弧などであってもよく、一般に、断面形状が円の一部となるような環状又は筒状であればどのような形状であっても使用可能である。また、断面形状が楕円の一部又は全部となるような環状又は筒状であってよい。要素砥材が、円の一部をなす断面を有する環状、又は円の一部をなす断面を有する筒状、又は楕円の一部をなす断面を有する環状、若しくは楕円の一部をなす断面を有する筒状の場合には、略Ｕ字状をなす部分の底部が基盤部材の回転方向における先頭側となるように配置する必要がある。
【００５１】
また、図５（Ａ）、又は図５（Ｂ）に示す第４実施例、又は第５実施例においては、砥材列の列数が２個の例を示したが、砥材列の列数は、３個以上であってもよい。また、各砥材列の中での要素砥材の並べ方は、図５（Ａ）、又は図５（Ｂ）に示す第４実施例、又は第５実施例のように、基盤部材の軸中心からの放射状直線の上に並ぶように配置してもよいし、基盤部材の軸中心からの放射状直線の方向に見た場合、砥材列ごとに要素砥材が０．５個分ずれるように配置する、いわゆる「千鳥配置」としてもよい。
【００５２】
また、給液溝１５Ａ１のような溝は、要素砥材が、円の一部をなす断面を有する環状、又は円の一部をなす断面を有する筒状、又は楕円の一部をなす断面を有する環状、若しくは楕円の一部をなす断面を有する筒状の場合にも、研削液等の行き渡りを十分にするために効果があるので、採用可能である。
【産業上の利用可能性】
【００５３】
本発明は、各種の被研削部材の一面を平面状に研削する平面研削盤用砥石を用いて平面研削加工を行って製品を製造する各種工業製品製造業、この平面研削盤用砥石を作製する砥石製造業等で実施可能であり、これらの産業で利用可能である。
【図面の簡単な説明】
【００５４】
【図１】本発明の第１実施例である平面研削盤用砥石を説明する図である。
【図２】図１に示す第１実施例の平面研削盤用砥石の変化例を示す図である。
【図３】本発明の第２実施例である平面研削盤用砥石を説明する図である。
【図４】本発明の第３実施例である平面研削盤用砥石を説明する図である。
【図５】本発明の第４実施例及び第５実施例である平面研削盤用砥石を説明する図である。
【符号の説明】
【００５５】
１Ａ〜１Ｅ  平面研削盤用砥石
１０Ａ  基盤部材
１１Ａ〜１１Ｅ  フランジ
１２Ａ〜１２Ｅ  要素砥材
１２Ｃ２  中子砥材
１４Ａ１  給排孔
１５Ａ１  給液溝
Ａ  基盤部材の軸中心線
Ｄ１、Ｄ２  回転方向
Ｌ１〜Ｌ８  砥材配置線
【図１】
2005279893.tif 000003
【図２】
2005279893.tif 000004
【図３】
2005279893.tif 000005
【図４】
2005279893.tif 000006
【図５】
2005279893.tif 000007